(57)【要約】【課題】  動画再生において、画像劣化による視認性の低下を招くことなく、表示エリアを有効活用し、見た目をよくする。【解決手段】  携帯電話１ａは、動画付きメールの作成時、あるいは動画付きメールの受信時、９６×８０ピクセルの動画を再生する際に、動画の周辺部分を拡大し、１２９×９６ピクセルで再生表示する。拡大方式には、動画周囲を単純に拡大する方式、動画の周囲にいくほど直線的に拡大率を大きくする方式、中央部から周囲にいくほど指数関数的に拡大率を大きくする方式などが考えられるが、いずれの場合においても、拡大により動画の視認性を低下させないため、中央部は１倍のままとする。【選択図】  図１
2006074782.tif 000002
【特許請求の範囲】
【請求項１】
データ通信される動画を記憶する記憶手段と、
少なくとも、前記記憶手段に記憶されている動画を表示する表示手段と、
前記記憶手段に記憶されている動画を読み出し、該動画の周辺部分を拡大して前記表示手段の表示可能領域サイズで動画再生表示させる表示制御手段と
を具備することを特徴とするデータ通信装置。
【請求項２】
動画に付加されている拡大指示情報を識別し、該動画を拡大するか否かを判断する拡大判断手段を具備し、
前記表示制御手段は、前記拡大判断手段により拡大指示情報が拡大を指示していると判断された場合、該動画の周辺部分を拡大して前記表示手段の表示可能領域サイズで動画再生表示させることを特徴とする請求項１記載のデータ通信装置。
【請求項３】
動画の再生時に該動画を拡大することを指示する拡大指示手段を具備し、
前記表示制御手段は、前記拡大指示手段により拡大指示された場合、該動画の周辺部分を拡大して前記表示手段の表示可能領域サイズで動画再生表示させることを特徴とする請求項１または２記載のデータ通信装置。
【請求項４】
前記表示制御手段は、
動画の周辺部分を単純に拡大して動画再生表示させることを特徴とする請求項１ないし３のいずれかに記載のデータ通信装置。
【請求項５】
前記表示制御手段は、
動画の中央部から周辺部にいくほど直線的に拡大率を大きくして拡大して動画再生表示させることを特徴とする請求項１ないし３のいずれかに記載のデータ通信装置。
【請求項６】
前記表示制御手段は、
動画の中央部から周辺部にいくほど指数関数的に拡大率を大きくして拡大して動画再生表示させることを特徴とする請求項１ないし３のいずれかに記載のデータ通信装置。
【請求項７】
動画を表示する表示手段と、
動画を記憶する動画記憶手段と、
前記動画記憶手段に記憶されている動画を読み出し、該動画の周辺部分を拡大して前記表示手段の表示可能領域サイズで動画再生表示させる第１の表示制御手段と、
前記動画を無線送信する送信手段とを具備するデータ送信装置と、
前記表示手段と、
前記データ送信装置より送信された動画を受信する受信手段と、
この受信手段により受信された動画を記憶する記憶手段と、
前記記憶手段に記憶されている動画を読み出し、該動画の周辺部分を拡大して前記表示手段の表示可能領域サイズで動画再生表示させる第２の表示制御手段とを具備するデータ受信装置と
で構成されることを特徴とするデータ通信システム。
【請求項８】
前記データ送信装置は撮像手段を更に具備し、
前記動画記憶手段は、この撮像手段によって撮像された動画を記憶することを特徴とする請求項７に記載のデータ通信システム。
【請求項９】
前記動画を無線信号にてデータ通信する通信機器において実行される、少なくとも文書に関連付けられた動画を表示手段に表示するための動画付き文書表示方法であって、
メモリに記憶されている動画を読み出し、該動画の周辺部分を拡大して前記表示手段の表示可能領域サイズで動画再生表示させることを特徴とする動画付き文書表示方法。
【請求項１０】
動画に付加されている拡大指示情報を識別し、該拡大指示情報が拡大を指示していると判断された場合、該動画の周辺部分を拡大して前記表示手段の表示可能領域サイズで動画再生表示させることを特徴とする請求項９記載の動画付き文書表示方法。
【請求項１１】
動画の再生時に該動画を拡大することが指示された場合、該動画の周辺部分を拡大して前記表示手段の表示可能領域サイズで動画再生表示させることを特徴とする請求項９記載の動画付き文書表示方法。
【請求項１２】
動画の周辺部分を単純に拡大して動画再生表示させることを特徴とする請求項９または１１記載の動画付き文書表示方法。
【請求項１３】
動画の中央部から周辺部にいくほど直線的に拡大率を大きくして拡大して動画再生表示させることを特徴とする請求項９または１１記載の動画付き文書表示方法。
【請求項１４】
動画の中央部から周辺部にいくほど指数関数的に拡大率を大きくして拡大して動画再生表示させることを特徴とする請求項９または１１記載の動画付き文書表示方法。
【請求項１５】
前記動画を無線信号にてデータ通信する通信機器において実行される、少なくとも文書に関連付けられた動画を表示手段に表示するための動画付き文書表示プログラムであって、
メモリに記憶されている動画を読み出し、該動画の周辺部分を拡大して前記表示手段の表示可能領域サイズで動画再生表示させる再生表示ステップと
からなることを特徴とする動画付き文書表示プログラム。
【請求項１６】
動画に付加されている拡大指示情報を識別し、該動画を拡大するか否かを判断する拡大判断ステップを更に有し、
前記再生表示ステップは、前記拡大判断ステップにより拡大指示情報が拡大を指示していると判断された場合、該動画の周辺部分を拡大して前記表示手段の表示可能領域サイズで動画再生表示させることを特徴とする請求項１５記載の動画付き文書表示プログラム。
【請求項１７】
動画の再生時に該動画を拡大することを指示する拡大指示ステップを更に有し、
前記再生表示ステップは、前記拡大指示ステップにより拡大指示された場合、該動画の周辺部分を拡大して前記表示手段の表示可能領域サイズで動画再生表示させることを特徴とする請求項１５記載の動画付き文書表示プログラム。
【請求項１８】
前記再生表示ステップは、
動画の周辺部分を単純に拡大して動画再生表示させることを特徴とする請求項１５または１７記載の動画付き文書表示プログラム。
【請求項１９】
前記再生表示ステップは、
動画の中央部から周辺部にいくほど直線的に拡大率を大きくして拡大して動画再生表示させることを特徴とする請求項１５または１７記載の動画付き文書表示プログラム。
【請求項２０】
前記再生表示ステップは、
動画の中央部から周辺部にいくほど指数関数的に拡大率を大きくして拡大して動画再生表示させることを特徴とする請求項１５または１７記載の動画付き文書表示プログラム。
【請求項２１】
静止画表示機能と動画表示機能とを備え、動画を表示するサイズ（縦×横；Ｖ１×Ｈ１）が静止画を表示するサイズ（Ｖ２×Ｈ２）よりも小さい（Ｖ１＜Ｖ２、Ｈ１＜Ｈ２）表示手段を備えるデータ通信装置において、
動画を前記静止画の表示サイズ（Ｖ２×Ｈ２）に拡大する拡大手段を設け、
前記拡大手段は、動画の１画面を中央部（Ｖ３×Ｈ３；Ｖ３＜Ｖ１、Ｈ３＜Ｈ１）とその周辺部に分けて該周辺部のみを拡大する拡大制御手段を含むことを特徴とするデータ通信装置。
【請求項２２】
前記拡大制御手段は、動画の周辺部ほど拡大率を大きくするために、Ｖ１、Ｈ１に近づくほど拡大率を大きくし、Ｖ３，Ｈ３に近づくほど拡大率を小さくするように拡大率を制御することを特徴とする請求項２１記載のデータ通信装置。
【請求項２３】
さらに、メール送受信機能を備え、前記動画をメール添付で送信するメール制御手段を備えていることを特徴とする請求項２１または２２に記載のデータ通信装置。
【発明の詳細な説明】
【技術分野】
【０００１】
本発明は、電子メールシステム等に適用されるデータ通信装置、データ通信システム、動画付き文書表示方法および動画付き文書表示プログラムに関する。
【背景技術】
【０００２】
従来より、各種ファイルを添付して電子メールをやりとりするシステムが存在し、近年では、携帯電話等の無線通信端末に撮像機能を備え、撮像された画像（もしくは画像が格納されているＵＲＬ）をメールに添付して相手先の無線通信端末に送信し、受信した相手先の無線通信端末でメール本文と画像とを表示させるサービスが知られている。また、近年、静止画像のみでなく、容量の小さい動画像を添付ファイルとしてメールに添付して送受信するサービスも登場している（例えば、特許文献１参照）。さらには、動画像に著作情報を付加する技術も知られている（例えば、特許文献２参照）。
ところで、例えば、携帯電話では、静止画の場合には、一例として、１２８×９６ピクセルで表示することができるが、動画像の場合には、９６×８０ピクセルの小さい画面サイズになる。ゆえに、１２８×９６ピクセルの表示領域を備えていたとしても、動画の表示領域が小さく、有効に表示エリアを使っていない。そこで、９６×８０ピクセルの動画を単純に１２８×９６ピクセルのサイズに拡大して再生するという考えがある（例えば、特許文献３参照）。
【０００３】
【特許文献１】特開２０００−２３１２１号公報
【特許文献２】特開平１１−３１７８９２号公報
【特許文献３】特開２０００−２７０２９４号公報
【発明の開示】
【発明が解決しようとする課題】
【０００４】
しかしながら、従来技術による動画再生方法では、９６×８０ピクセルの動画を単純に１２８×９６ピクセルのサイズに拡大して再生するため、画像が粗くなり、見にくくなるという欠点がある。
【０００５】
そこで本発明は、動画再生において、画像劣化による視認性の低下を招くことなく、表示エリアを有効活用し、見た目をよくすることができるデータ通信装置、データ通信システム、動画付き文書表示方法および動画付き文書表示プログラムを提供することを目的とする。
【課題を解決するための手段】
【０００６】
上記目的達成のため、請求項１記載の発明によるデータ通信装置は、データ通信される動画を記憶する記憶手段と、少なくとも、前記記憶手段に記憶されている動画を表示する表示手段と、前記記憶手段に記憶されている動画を読み出し、該動画の周辺部分を拡大して前記表示手段の表示可能領域サイズで動画再生表示させる表示制御手段とを具備することを特徴とする。
【０００７】
また、好ましい態様として、例えば請求項２記載のように、請求項１記載のデータ通信装置において、動画に付加されている拡大指示情報を識別し、該動画を拡大するか否かを判断する拡大判断手段を具備し、前記表示制御手段は、前記拡大判断手段により拡大指示情報が拡大を指示していると判断された場合、該動画の周辺部分を拡大して前記表示手段の表示可能領域サイズで動画再生表示させるようにしてもよい。
【０００８】
また、好ましい態様として、例えば請求項３記載のように、請求項１または２記載のデータ通信装置において、動画の再生時に該動画を拡大することを指示する拡大指示手段を具備し、前記表示制御手段は、前記拡大指示手段により拡大指示された場合、該動画の周辺部分を拡大して前記表示手段の表示可能領域サイズで動画再生表示させるようにしてもよい。
【０００９】
また、好ましい態様として、例えば請求項４記載のように、請求項１ないし３のいずれかに記載のデータ通信装置において、前記表示制御手段は、動画の周辺部分を単純に拡大して動画再生表示させるようにしてもよい。
【００１０】
また、好ましい態様として、例えば請求項５記載のように、請求項１ないし３のいずれかに記載のデータ通信装置において、前記表示制御手段は、動画の中央部から周辺部にいくほど直線的に拡大率を大きくして拡大して動画再生表示させるようにしてもよい。
【００１１】
また、好ましい態様として、例えば請求項６記載のように、請求項１ないし３のいずれかに記載のデータ通信装置において、前記表示制御手段は、動画の中央部から周辺部にいくほど指数関数的に拡大率を大きくして拡大して動画再生表示させるようにしてもよい。
【００１２】
また、上記目的達成のため、請求項７記載の発明によるデータ通信システムは、動画を表示する表示手段と、動画を記憶する動画記憶手段と、前記動画記憶手段に記憶されている動画を読み出し、該動画の周辺部分を拡大して前記表示手段の表示可能領域サイズで動画再生表示させる第１の表示制御手段と、前記動画を無線送信する送信手段とを具備するデータ送信装置と、前記表示手段と、前記データ送信装置より送信された動画を受信する受信手段と、この受信手段により受信された動画を記憶する記憶手段と、前記記憶手段に記憶されている動画を読み出し、該動画の周辺部分を拡大して前記表示手段の表示可能領域サイズで動画再生表示させる第２の表示制御手段とを具備するデータ受信装置とで構成されることを特徴とする。
【００１３】
また、好ましい態様として、例えば請求項８記載のように、請求項７記載のデータ通信システムにおいて、前記データ送信装置は撮像手段を更に具備し、前記動画記憶手段は、この撮像手段によって撮像された動画を記憶するようにしてもよい。
【００１４】
また、上記目的達成のため、請求項９記載の発明による動画付き文書表示方法は、前記動画を無線信号にてデータ通信する通信機器において実行される、少なくとも文書に関連付けられた動画を表示手段に表示するための動画付き文書表示方法であって、メモリに記憶されている動画を読み出し、該動画の周辺部分を拡大して前記表示手段の表示可能領域サイズで動画再生表示させることを特徴とする。
【００１５】
また、好ましい態様として、例えば請求項１０記載のように、請求項９記載の動画付き文書表示方法において、動画に付加されている拡大指示情報を識別し、該拡大指示情報が拡大を指示していると判断された場合、該動画の周辺部分を拡大して前記表示手段の表示可能領域サイズで動画再生表示させるようにしてもよい。
【００１６】
また、好ましい態様として、例えば請求項１１記載のように、請求項９記載の動画付き文書表示方法において、動画の再生時に該動画を拡大することが指示された場合、該動画の周辺部分を拡大して前記表示手段の表示可能領域サイズで動画再生表示させるようにしてもよい。
【００１７】
また、好ましい態様として、例えば請求項１２記載のように、請求項９または１１記載の動画付き文書表示方法において、動画の周辺部分を単純に拡大して動画再生表示させるようにしてもよい。
【００１８】
また、好ましい態様として、例えば請求項１３記載のように、請求項９または１１記載の動画付き文書表示方法において、動画の中央部から周辺部にいくほど直線的に拡大率を大きくして拡大して動画再生表示させるようにしてもよい。
【００１９】
また、好ましい態様として、例えば請求項１４記載のように、請求項９または１１記載の動画付き文書表示方法において、動画の中央部から周辺部にいくほど指数関数的に拡大率を大きくして拡大して動画再生表示させるようにしてもよい。
【００２０】
また、上記目的達成のため、請求項１５記載の発明による動画付き文書表示プログラムは、前記動画を無線信号にてデータ通信する通信機器において実行される、少なくとも文書に関連付けられた動画を表示手段に表示するための動画付き文書表示プログラムであって、メモリに記憶されている動画を読み出し、該動画の周辺部分を拡大して前記表示手段の表示可能領域サイズで動画再生表示させる再生表示ステップとからなることを特徴とする。
【００２１】
また、好ましい態様として、例えば請求項１６記載のように、請求項１５記載の動画付き文書表示プログラムにおいて、動画に付加されている拡大指示情報を識別し、該動画を拡大するか否かを判断する拡大判断ステップを更に有し、前記再生表示ステップは、前記拡大判断ステップにより拡大指示情報が拡大を指示していると判断された場合、該動画の周辺部分を拡大して前記表示手段の表示可能領域サイズで動画再生表示させるようにしてもよい。
【００２２】
また、好ましい態様として、例えば請求項１７記載のように、請求項１５記載の動画付き文書表示プログラムにおいて、動画の再生時に該動画を拡大することを指示する拡大指示ステップを更に有し、前記再生表示ステップは、前記拡大指示ステップにより拡大指示された場合、該動画の周辺部分を拡大して前記表示手段の表示可能領域サイズで動画再生表示させるようにしてもよい。
【００２３】
また、好ましい態様として、例えば請求項１８記載のように、請求項１５または１７記載の動画付き文書表示プログラムにおいて、前記再生表示ステップは、動画の周辺部分を単純に拡大して動画再生表示させるようにしてもよい。
【００２４】
また、好ましい態様として、例えば請求項１９記載のように、請求項１５または１７記載の動画付き文書表示プログラムにおいて、前記再生表示ステップは、動画の中央部から周辺部にいくほど直線的に拡大率を大きくして拡大して動画再生表示させるようにしてもよい。
【００２５】
また、好ましい態様として、例えば請求項２０記載のように、請求項１５または１７記載の動画付き文書表示プログラムにおいて、前記再生表示ステップは、動画の中央部から周辺部にいくほど指数関数的に拡大率を大きくして拡大して動画再生表示させるようにしてもよい。
【００２６】
また、上記目的達成のため、請求項２１記載の発明によるデータ通信装置は、静止画表示機能と動画表示機能とを備え、動画を表示するサイズ（縦×横；Ｖ１×Ｈ１）が静止画を表示するサイズ（Ｖ２×Ｈ２）よりも小さい（Ｖ１＜Ｖ２、Ｈ１＜Ｈ２）表示手段を備えるデータ通信装置において、動画を前記静止画の表示サイズ（Ｖ２×Ｈ２）に拡大する拡大手段を設け、前記拡大手段は、動画の１画面を中央部（Ｖ３×Ｈ３；Ｖ３＜Ｖ１、Ｈ３＜Ｈ１）とその周辺部に分けて該周辺部のみを拡大する拡大制御手段を含むことを特徴とする。
【００２７】
また、好ましい態様として、例えば請求項２２記載のように、請求項２１記載のデータ通信装置において、前記拡大制御手段は、動画の周辺部ほど拡大率を大きくするために、Ｖ１、Ｈ１に近づくほど拡大率を大きくし、Ｖ３，Ｈ３に近づくほど拡大率を小さくするように拡大率を制御するようにしてもよい。
【００２８】
また、好ましい態様として、例えば請求項２３記載のように、請求項２１または２２に記載のデータ通信装置において、さらに、メール送受信機能を備え、前記動画をメール添付で送信するメール制御手段を備えていることを特徴とする。
【発明の効果】
【００２９】
請求項１記載の発明によれば、記憶手段に記憶されている動画を読み出して表示手段に表示する際に、表示制御手段によって、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００３０】
また、請求項２記載の発明によれば、前記拡大判断手段により動画に付加されている拡大指示情報が拡大を指示していると判断された場合、前記表示制御手段により、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００３１】
また、請求項３記載の発明によれば、前記拡大指示手段により拡大指示された場合、前記表示制御手段により、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００３２】
また、請求項４記載の発明によれば、前記表示制御手段により、動画の周辺部分を単純に拡大して再生表示させるようにしたので、動画再生において、画像劣化による視認性の低下を招くことなく、表示エリアを有効活用し、見た目をよくすることができるという利点が得られる。
【００３３】
また、請求項５記載の発明によれば、前記表示制御手段により、動画の中央部から周辺部にいくほど直線的に拡大率を大きくして拡大して再生表示させるようにしたので、動画再生において、画像劣化による視認性の低下を招くことなく、表示エリアを有効活用し、見た目をよくすることができるという利点が得られる。
【００３４】
また、請求項６記載の発明によれば、前記表示制御手段により、動画の中央部から周辺部にいくほど指数関数的に拡大率を大きくして拡大して再生表示させるようにしたので、動画再生において、画像劣化による視認性の低下を招くことなく、表示エリアを有効活用し、見た目をよくすることができるという利点が得られる。
【００３５】
また、請求項７記載の発明によれば、データ送信装置においては、第１の表示制御手段により、前記動画記憶手段に記憶されている動画を読み出し、該動画の周辺部分を拡大して前記表示手段の表示可能領域サイズで再生表示させる一方、送信手段により、前記動画を無線送信し、データ受信装置においては、第２の表示制御手段により、受信手段により受信して記憶手段に記憶した動画を読み出し、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００３６】
また、請求項８記載の発明によれば、撮像手段によって撮像された動画を前記動画記憶手段に記憶するようにしたので、動画再生において、画像劣化による視認性の低下を招くことなく、表示エリアを有効活用し、見た目をよくすることができるという利点が得られる。
【００３７】
また、請求項９記載の発明によれば、メモリに記憶されている動画を読み出し、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００３８】
また、請求項１０記載の発明によれば、動画に付加されている拡大指示情報を識別し、該拡大指示情報が拡大を指示していると判断された場合、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００３９】
また、請求項１１記載の発明によれば、動画の再生時に該動画を拡大することが指示された場合、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００４０】
また、請求項１２記載の発明によれば、動画の周辺部分を単純に拡大して再生表示させるようにしたので、動画再生において、画像劣化による視認性の低下を招くことなく、表示エリアを有効活用し、見た目をよくすることができるという利点が得られる。
【００４１】
また、請求項１３記載の発明によれば、動画の中央部から周辺部にいくほど直線的に拡大率を大きくして拡大して再生表示させるようにしたので、動画再生において、画像劣化による視認性の低下を招くことなく、表示エリアを有効活用し、見た目をよくすることができるという利点が得られる。
【００４２】
また、請求項１４記載の発明によれば、動画の中央部から周辺部にいくほど指数関数的に拡大率を大きくして拡大して再生表示させるようにしたので、動画再生において、画像劣化による視認性の低下を招くことなく、表示エリアを有効活用し、見た目をよくすることができるという利点が得られる。
【００４３】
また、請求項１５記載の発明によれば、再生表示ステップで、メモリに記憶されている動画を読み出し、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００４４】
また、請求項１６記載の発明によれば、動画に付加されている拡大指示情報を識別し、該動画を拡大するか否かを判断する拡大判断ステップを更に有し、前記再生表示ステップで、前記拡大判断ステップにより拡大指示情報が拡大を指示していると判断された場合、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００４５】
また、請求項１７記載の発明によれば、動画の再生時に該動画を拡大することを指示する拡大指示ステップを更に有し、前記再生表示ステップで、前記拡大指示ステップにより拡大指示された場合、該動画の周辺部分を拡大して前記表示手段の表示可能領域サイズで再生表示させるようにしたので、動画再生において、画像劣化による視認性の低下を招くことなく、表示エリアを有効活用し、見た目をよくすることができるという利点が得られる。
【００４６】
また、請求項１８記載の発明によれば、前記再生表示ステップで、動画の周辺部分を単純に拡大して再生表示させるようにしたので、動画再生において、画像劣化による視認性の低下を招くことなく、表示エリアを有効活用し、見た目をよくすることができるという利点が得られる。
【００４７】
また、請求項１９記載の発明によれば、前記再生表示ステップで、動画の中央部から周辺部にいくほど直線的に拡大率を大きくして拡大して再生表示させるようにしたので、動画再生において、画像劣化による視認性の低下を招くことなく、表示エリアを有効活用し、見た目をよくすることができるという利点が得られる。
【００４８】
また、請求項２０記載の発明によれば、前記再生表示ステップで、動画の中央部から周辺部にいくほど指数関数的に拡大率を大きくして拡大して再生表示させるようにしたので、動画再生において、画像劣化による視認性の低下を招くことなく、表示エリアを有効活用し、見た目をよくすることができるという利点が得られる。
【００４９】
また、請求項２１記載の発明によれば、前記拡大手段により、動画を前記静止画の表示サイズ（Ｖ２×Ｈ２）に拡大する際に、拡大制御手段により、動画の１画面を中央部（Ｖ３×Ｈ３；Ｖ３＜Ｖ１、Ｈ３＜Ｈ１）とその周辺部に分けて該周辺部のみを拡大するようにしたので、動画再生において、画像劣化による視認性の低下を招くことなく、表示エリアを有効活用し、見た目をよくすることができるという利点が得られる。
【００５０】
また、請求項２２記載の発明によれば、前記拡大制御手段により、動画の周辺部ほど拡大率を大きくするために、Ｖ１、Ｈ１に近づくほど拡大率を大きくし、Ｖ３，Ｈ３に近づくほど拡大率を小さくするように拡大率を制御するようにしたので、動画再生において、画像劣化による視認性の低下を招くことなく、表示エリアを有効活用し、見た目をよくすることができるという利点が得られる。
【００５１】
また、請求項２３記載の発明によれば、さらに、メール制御手段により、メール送受信機能を備え、前記動画をメール添付で送信するようにしたので、メールに添付された動画再生において、画像劣化による視認性の低下を招くことなく、表示エリアを有効活用し、見た目をよくすることができるという利点が得られる。
【発明を実施するための最良の形態】
【００５２】
以下、本発明の実施の形態を、携帯電話に適用した一実施例として、図面を参照して説明する。
【００５３】
Ａ−１．実施形態の構成
図１は、本発明の実施形態によるメール送受信システムの構成を示すブロック図である。図において、携帯電話（無線通信端末／データ通信装置）１ａ，１ｂは、撮像機能と画像メモリとを備え、画像メモリに格納された動画をシステム（特に、後述するメールサーバ３３、６３）に送信する機能および動画付きメールを受信する機能を備えている。該携帯電話１ａ，１ｂは、動画付きメールを作成する際、メール本文と該メール本文に添付する動画を一画面で確認できるように表示するとともに、動画付きメールを受信した際においても、メール本文の表示と動画再生とを一画面で行なえるようになっている。これは、一例であって、メール本文と添付動画は別画面で表示することもできる。また、動画再生時には、動画を１２８×９６ピクセルの最大表示領域に拡大するようになっている。拡大方式には、動画周囲を単純に拡大する方式、動画の周囲にいくほど直線的に拡大率を大きくする方式、中央部から周囲にいくほど指数関数的に拡大率を大きくする方式などが考えられるが、いずれの場合においても、拡大により動画の視認性を低下させないため、中央部は１倍のままとする。なお、動画の拡大アルゴリズムは、周知の技術を用いるものとし説明を省略する。
【００５４】
無線基地局２，２は、公衆回線網４を介して携帯電話１ａ，１ｂのユーザが加入する通信サービス事業者（インターネットプロバイダを含む）３に接続する。
【００５５】
通信サービス事業者（インターネットプロバイダを含む）３は、主なサービスとして提供している携帯電話サービスに必要とする交換機３４の他、後述のＷＷＷ５に接続するためのシステム（Ｗｅｂサーバ３２、ルータ３５）、メールシステム（メールサーバ３３）を備えている。無線基地局２をＡＰ（アクセス・ポイント）として、携帯電話１ａ，１ｂをＷＷＷ５に接続させるための機能も備えている。
【００５６】
公衆回線網４は、アナログ、デジタル電話回線網である。ＷＷＷ５は、所謂インターネットである。
【００５７】
インターネットサービスプロバイダ（以下ＩＳＰと称す）６は、交換機を除いて、通信サービス事業者３と同じ構成であり、ＷＷＷ５に接続するためのシステム（便宜的にＷｅｂサーバ６２、ルータ６５）、メールシステム（メールサーバ６３）を備えている。パーソナルコンピュータ７は、公衆回線４、ＩＳＰ６を介してＷＷＷ５に接続したり、メールの送受信を行なう機能を備えている。
【００５８】
なお、本実施形態の特徴として、携帯電話１ａ，１ｂ同士では、動画付きメールを、メール本文と動画とを一画面で表示するが（詳細は後述）、携帯電話１ａ，１ｂからパーソナルコンピュータ７へ動画付きメールを送信した場合、パーソナルコンピュータ７では、動画は、添付ファイルとして扱われる。すなわち、本実施形態による「動画付きメールソフトプログラム」は、一般に知られるメールソフトと互換性を持っている。
【００５９】
次に、図２（ａ），（ｂ）は、携帯電話１ａ，１ｂの外観図（開状態：正面図および背面図）である。本実施形態における携帯電話１ａ、１ｂは、蓋部と本体部からなる二つ折り構造である。アンテナ１１は、蓋部の背面に設けられており、伸縮自在となっている。スピーカ１２は、蓋部の前面側に設けられており、音声出力を行なう。表示部（メイン表示部）１３は、カラー液晶であり、１２０ドット（幅）×１６０ドット（高さ）である。該表示部１３には、写真付きメールの写真（写真）と本文とを同時に表示可能となっている。
【００６０】
キー操作部１４は、本体部の前面に設けられており、各種機能キー（メールキー１４１、アドレスキー１４２、ファンクションキー１４３）、テンキー１４４、シャッターキー１４５などからなる。メールキー１４１は、メール機能を起動し、メールメニューを表示するためのものである。アドレスキー１４２は、送信先のメールアドレスを選択する際に用いるアドレス帳を開くためのものである。ファンクションキー１４３は、動画付きメールの作成時、あるいは動画付きメールの確認時、動画の再生や一時停止などを指示するためのものである。テンキー１４４は、電話番号や文字の入力の際に使用する。シャッターキー１４５は、撮像モード時において、所定秒（約２秒）の押圧維持検出で、動画撮影を開始する。
【００６１】
マイク１５は、本体部の下部に設けられており、音声入力を行なう。撮影され取り込まれたデータは、動画撮影が終了するまで、もしくは、所定容量（最大１００Ｋバイト）を超えるまで、撮像データバッファ領域１９５に蓄積される。そして、所定容量までデータが蓄積されたか、もしくは上記押圧維持が解除されたことを検知して圧縮ファイル化され、画像メモリ２３に格納される。
【００６２】
サブ表示部１６は、蓋部の背面に設けられている。背面キー１７は、透明、または半透明部材で構成され、着信の際、発光するＬＥＤ１７１を内蔵している。撮像レンズ１８は、蓋部２の背面、上記サブ表示部１６の下部に設けられている。報知スピーカ１９は、着信などを報知するものであり、蓋部を本体部に閉じた状態でも報知音が聞こえるように、本体部の裏面に配置されている。
【００６３】
次に、図３は、携帯電話１ａ，１ｂの構成を示すブロック図である。無線送受信部２０は、無線によりアンテナ１１を介して音声やデータ（メールデータ）を送受し変調／復調する。無線信号処理部２１は、無線送受信部２０で受信した音声やデータ（メールデータ）を復調し、あるいは無線送受信部２０へ送信するための音声やデータを変調するなどの無線通信に必要な処理をする。制御部２２は、各種動作および全体の動作を制御する。
【００６４】
画像メモリ２３は、撮像部（撮像レンズ１８、撮像モジュール１８１、ＤＳＰ１８２）で撮像され、画像処理プログラム領域２４１３に格納されたプログラムにより圧縮符号化された画像ファイルや、ＷＷＷ５を介してダウンロードした画像ファイルを格納するためのメモリである。ＲＯＭ２４は、書換可能なＦｌａｓｈ  ＲＯＭで構成され、本発明の特徴となる、後述の各種プログラムを格納する。
【００６５】
ドライバ２５は、表示部１３を駆動させる。ドライバ２６は、サブ表示部１６を駆動させる。加入者情報記憶部２７は、本携帯電話１を呼び出すための電話番号や、操作者（加入者）のＩＤ等、プロフィールデータを格納する。ＲＯＭ２８は、制御部１８を制御する各種プログラムなどを格納する。ＲＡＭ２９は、無線通信端末として必要な各種データを記憶し、かつ制御部２５が動作する上で必要なデータを格納するとともに、メールデータも格納記憶する。特に、本実施形態では、ＲＡＭ２９には、撮影モードにおいて、撮影中の動画を一度バッファリグするための記憶領域がある。
【００６６】
音声信号処理部２００は、マイク１５から入力された音声信号を符号化処理したり、無線信号処理部２１から出力された信号に基づいて復号化してスピーカ１２を駆動させ、音声を出力する。撮像モジュール１８１は、ＣＣＤ、若しくはＣＭＯＳで構成され、カラー画像を取り込む。ＤＳＰ１８２は、撮像モジュール１８１にて取り込まれた画像を符号化処理する。報知デバイス１９２は、報音スピーカ１９、バイブレータ１９１、ＬＥＤ１７１を駆動させるためのドライバである。
【００６７】
次に、図４は、携帯電話１ａ，１ｂのＲＯＭ２４のメモリエリアの構成を示す概念図である。該ＲＯＭ２４は、本実施形態の特徴であるソフトウェアプログラムを格納する。ＲＯＭ２４は、メールソフトウェアプログラム領域２４１、画像処理プログラム領域２４１３およびその他のプログラム領域２４１４からなる。
【００６８】
メールソフトウェアプログラム領域２４１は、既知のメールソフトウェアプログラムを格納する領域２４１１と、動画付きメールソフトウェアプログラムを格納する領域２４１２とに分かれている。なお、動画付きメールソフトウェアプログラムは、ＩＳＰ６を介してＷＷＷ５からダウンロードするようにしてもよい。
【００６９】
画像処理プログラム領域２４１３は、撮像部（撮像レンズ１８、撮像モジュール１８１、ＤＳＰ１８２）で撮像・デジタル符号化されてＲＡＭ２９にバッファリングされた動画データを、ＭＰＥＧ−４に準拠する符号化圧縮処理で圧縮ファイル化するための画像処理プログラムを格納する。また、該画像処理プログラムは、外部より受信、もしくは自機においてファイル化された動画像を、再生時に、動画の周囲部を拡大し、全体として１２８×９６ピクセルの表示サイズに変更して表示するようになっている。
【００７０】
ここで、図５は、本実施形態による動画拡大方式を説明するための概念図である。上述したように、本実施形態では、９６×８０ピクセルの動画の周囲部（図示の斜線部）を、所定の動画拡大方式（後述）に従って部分拡大し、全体として、１２８×９６ピクセルの表示領域で再生するようになっている。また、動画の停止（一時停止）時は、全体を一様拡大して１２８×９６ピクセル（Ｓｕｂ−ＱＣＩＦサイズ）で静止画像として表示する。その他のプログラム領域２４１４は、上記以外のアプリケーションプログラムなどを格納する。
【００７１】
次に、図６は、本実施形態による動画拡大方式例を説明するための概念図である。図６（ａ）では、中央部を１倍、周囲を３倍とし、単純に拡大する方式である。また、図６（ｂ）では、動画の周囲にいくほど直線的に拡大率を大きくする方式である。また、図６（ｃ）では、中央部から周囲にいくほど指数関数的に拡大率を大きくする方式である。いずれの場合においても、拡大により動画の視認性を低下させないため、中央部は１倍のままとする。いずれの動画拡大方式を用いるかは、予め決めておいてもよいし、ユーザによって選択可能としてもよい。
【００７２】
次に、図７および図８は、動画拡大の方式の一例を説明するための概念図である。動画がＭＰＥＧ−４の場合、デコードする際には、図７に示すように、前後のフレームを参照する必要があるので、通常、バッファには３フレーム分のメモリ領域が必要となる。また、部分拡大の方式としては、一例として、図８に示すように、注目画素のデータを隣接画素に埋め込むことにより補間する補間法を用いればよい。通常、補間後のデータにフィルタ処理を施すという画像処理を加える。
【００７３】
次に、図９は、携帯電話１ａ，１ｂのＲＡＭ２９のメモリエリアの構成を示す概念図である。ＲＡＭ２９は、アドレス帳データ格納領域２９１、メールデータ格納領域２９２、添付ファイル格納領域２９３およびその他のワークメモリ２９４、撮像データバッファ領域２９５からなる。アドレス帳データ格納領域２９１は、氏名、電話番号、メールアドレス等を一組のレコードとして複数格納する。メールデータ格納領域２９２は、メールソフトウェアを使用して作成されたメールデータや、受信したメールデータを格納する。添付ファイル格納領域２９３は、メールにファイルが添付されている場合、このファイルを格納する。その他・ワークメモリ２９４は、その他のワークメモリとして、例えば、上述したデコード処理におけるフレームメモリ（３フレーム分）として用いたり、各種データを格納する。拡大データ領域２９５は、部分拡大した動画データを格納する。表示バッファ２９６は、動画を表示する際のバッファとして用いられる。撮像データバッファ領域２９７は、撮影中の動画を一度バッファリングするための記憶領域である。
【００７４】
Ａ−２．実施形態の動作
次に、上述した本実施形態の動作について説明する。
【００７５】
（１）撮影モード
まず、本実施形態による撮像モード時の動作について説明する。ここで、図１０および図１１は、本実施形態による撮像モード時の動作を説明するためのフローチャートである。ユーザにより撮影モードが選択されると、まず、撮影モジュール１８１、ＤＳＰ１８２を起動する（ステップＳ１０）。次に、画像処理プログラムをロードし（ステップＳ１２）、表示部１３にスルー画像を表示する（ステップＳ１４）。次に、シャッターキー１４５が押圧されたか否かを判断する（ステップＳ１６）。そして、シャッターキー１４５が押下されない場合には、ステップＳ１４へ戻り、スルー画像の表示を継続する。
【００７６】
一方、シャッターキー１４５が押下されると、所定秒（２秒）の間、押圧が維持されたか否かを判断する（ステップＳ１８）。シャッターキー１４５が所定秒の間、押圧されつづけた場合には、撮像されたデータを順次取り込み、撮像データバッファ領域２９５に順次蓄積していく（ステップＳ２０）。ここで、図１２は、撮影モードにおいて被写体を撮像する様子を示す模式図である。図示の例では、オブジェクトを矢印の方向に移動しながら撮影している。該撮像データの取り込み過程においては、所定容量（例えば１００Ｋバイト）のデータを蓄積したか否かを判断し（ステップＳ２２）、さらに、シャッターキー１４５の押圧が解除されたか否かを判断する（ステップＳ２４）。そして、所定容量に達しておらず、かつシャッターキー１４５の押圧も解除されていない場合には、ステップＳ２２へ戻り、撮像されたデータの撮像データバッファ領域２９５への蓄積を継続する。
【００７７】
一方、所定容量に達するか、あるいはシャッターキー１４５の押圧が解除された場合には、撮像データバッファ領域２９５へ蓄積した撮像データを圧縮ファイル化する（ステップＳ２６）。そして、圧縮ファイル化された動画ファイルを、タイムスタンプに基づいてファイル名を付加して画像メモリ２３に格納し（ステップＳ３２）、その後、ステップＳ１４へ戻り、前述した処理を継続する。
【００７８】
また、ステップＳ１８において、シャッターキー１４５が所定秒の間、押圧されなかった場合、すなわちシャッターキー１４５が一瞬だけ（２秒以下）押下された場合には、撮像されたデータを取り込み（ステップＳ２８）、圧縮ファイル化する（ステップＳ３０）。そして、圧縮ファイル化された静止画ファイルを、タイムスタンプに基づいてファイル名を付加して画像メモリ２３に格納し（ステップＳ３２）、その後、ステップＳ１４へ戻り、前述した処理を継続する。
【００７９】
このように、撮影モードにおいては、所定時間内にシャッターキー１４５の押圧操作／解除を検出した場合には、その時点で撮像モジュールに取り込まれたイメージを静止画として圧縮ファイル化する一方、所定時間以上に渡ってシャッターキー１４５の押圧を検出した場合には、押圧開始点から取り込まれたイメージを順次撮像データバッファ領域２９５に蓄積し（動画）、所定容量（１００Ｋバイト）を超えるか、シャッターキー１４５の押圧解除を検出すると、動画撮影を停止する。
【００８０】
（２）メール作成
次に、本実施形態によるメール作成時の動作について説明する。ここで、図１３ないし図１６は、本実施形態による携帯電話のメール作成時の動作を説明するためのフローチャートである。ユーザによりメール作成モードが選択されると、メールメニューを表示する（ステップＳ４０）。次に、メールメニューから新規作成が選択されたか否かを判断する（ステップＳ４２）。ここで、新規作成が選択されなかった場合には、受信ボックスが選択されたか否かを判断し（ステップＳ４４）、受信ボックスが選択されなければ、その他の処理へ進む（ステップＳ４６）。なお、受信ボックスが選択された場合、すなわち受信メールを表示するための処理について後述する。
【００８１】
一方、メールメニューから新規作成が選択されると、作成メニューを表示する（ステップＳ４８）。次に、メールメニューから動画付きメールが選択された否かを判断する（ステップＳ５０）。そして、動画付きメールが選択されなかった場合には、通常のメール処理へ進む（ステップＳ５２）。
【００８２】
一方、メールメニューから動画付きメールが選択された場合には、動画付きメールプログラムおよび画像処理プログラムをロードし（ステップＳ５４）、作成画面を表示する（ステップＳ５６）。
【００８３】
次に、作成画面において、「画像選択」、「メール作成・編集」または「保存・終了」のいずれの項目が選択されたか否かを判断する（ステップＳ５８）。ここで、「画像選択」が選択された場合には、まず、動画ファイルを検索する（ステップＳ６０）。そして、動画ファイルがあったか否かを判断し（ステップＳ６２）、動画ファイルがなければ、エラーを表示し（ステップＳ６４）、図１３に示すステップＳ５６の作成画面の表示へ戻る。
【００８４】
一方、動画ファイルがあった場合には、動画ファイル（撮像開始時の静止画像）をアルバム表示する（ステップＳ６６）。次に、アルバム表示からいずれかの動画ファイルが選択されたか否かを判断する（ステップＳ６８）。そして、選択されない場合には、ステップＳ６６に戻り、アルバム表示を継続する。
【００８５】
一方、いずれかの動画ファイルが選択されると、選択された動画フィルについて、Ｓｕｂ−ＱＣＩＦサイズ（１２８×９６ピクセル）にリサイズし（ステップＳ７０）、静止画像表示する（ステップＳ７２）。その後、ステップＳ５６の作成画面の表示へ戻る。
【００８６】
また、作成画面において、「メール作成・編集」が選択された場合には、まず、各項目・編集・表示を行なう画面を表示する（ステップＳ８０）。ここで、図１８は、「メール作成・編集」が選択されたときの表示画面を示す模式図である。図において、Ｓｕｂｊｅｃｔ領域１３１には、メールのタイトルが表示される。Ｆｒｏｍ領域１３２には、メール送信者の名前が表示される。日付表示領域１３３は、添付された動画ファイルの作成日時が表示される。なお、所定のキー操作により、受信日時、現在時刻等に切り替え可能としてもよい。
【００８７】
表示領域１３４は、１２８×９６ピクセル（Ｓｕｂ−ＱＣＩＦサイズ）で、ストリーミングコンテンツ（動画）、静止画（９６×８０ピクセル表示の動画ファイルを一時停止させた場合の静止画表示、または動画ファイルの周辺部分を拡大して再生する場合の動画を表示する領域である。また、表示領域１３５は、表示領域１３４に動画を再生する際に、拡大されない部分（１倍で再生表示される中央部分）が表示される領域である。再生時間ゲージ１３６は、動画ファイル再生時に現在表示されている画像がどの時点のものであるかを示すためのものである。メール本文表示領域１３７は、メール本文が表示される領域であり、長文などで該領域に収まらない場合には、文章をスクロールして表示させるためのスクロールバーが右端に表示されるようになっている。
【００８８】
ファンクションキー１３８は、「保存・終了」を指示するためのキーである。また、ファンクションキー１３９は、「作成・編集」を指示するためのキーである。また、ファンクションキー１４０は、「画像選択」を指示するためのキーである。上記ファンクションキー１３８，１３９，１４０は、各々、図２に示す外観図におけるメールキー１４１、センターキー１４５、ファンクションキー１４３に対応している。また、ファンクションキー１４３は、動画の再生／一時停止を制御するためにも用いられる。
【００８９】
次に、図１９は、上記表示画面の一例を示す模式図である。Ｓｕｂｊｅｃｔ領域１３１には、メールのタイトル「どれがいい？」が表示されている。Ｆｒｏｍ領域１３２には、メール送信者の名前「○○」が表示されている。日付表示領域１３３は、添付された動画ファイルの作成日時「２００２／０４／０３  １４：００  ＰＭ」が表示されている。表示領域１３４には、選択された動画（静止画）が、一様拡大されて１２８×９６ピクセル（Ｓｕｂ−ＱＣＩＦサイズ）の静止画像として表示されている。メール本文表示領域１３７は、作成中のメール本文が表示されている。また、表示画面の最下行には、動画の「再生」を指示するためのファンクションキー１４６（ファンクションキー１４３に対応）が表示されている。
【００９０】
次に、動作の説明に戻ると、図１９に示す表示画面において、ファンクションキー１４６が操作されたか否かを判断し（ステップＳ８２）、さらに「決定」が検出されたか否かを判断する（ステップＳ８４）。そして、「再生」を指示するファンクションキー１４６の操作も「決定」もされなかった場合には、ステップＳ８０へ戻り、図１８に示す「各項目・編集・表示」の画面表示を継続する。
【００９１】
一方、「再生」を指示するファンクションキー１４６（ファンクションキー１４３に対応）が操作されると、動画像が選択されているか否かを判断する（ステップＳ８６）。そして、動画像が選択されている場合には、９６×８０ピクセルの動画を、図６（ａ）〜（ｃ）に示す拡大方式のいずれかに従って、１２８×９６ピクセルに部分拡大して繰り返し再生する（ステップＳ９０）。
【００９２】
ここで、図１７は、動画を拡大再生する際の動作を説明するためのフローチャートである。まず、選択された動画ファイルを読み出し（ステップＳ１２０）、デコードし（ステップＳ１２２）、図６（ａ）〜（ｃ）に示す拡大方式のいずれかに従って部分拡大処理を実行する（ステップＳ１２４）。そして、部分拡大処理した動画をＬＣＤの表示バッファへ格納し（ステップＳ１２６）、動画が終了したか否かを判断する（ステップＳ１２８）。動画が終了していなければ、ステップＳ１２０へ戻り、上述した動作を繰り返す。すなわち、図２０に示すように、破線ＤＬで示す９６×８０ピクセルの周辺部が拡大（斜線部分）され、１２８×９６ピクセルの動画として再生される。なお、表示領域１３５には、動画の中央部分が拡大されずに再生表示される。一方、動画が終了していれば、当該処理を終了する。
【００９３】
ここで、図２１（ａ）〜（ｃ）は、上記撮影モードにて図１２に示されるような撮像方向で撮像されたオブジェクトの動画ファイルを、メール作成モードにて再生表示する場合の、表示画面の一例を示す模式図である。表示領域１３４には、図２１（ａ）〜（ｃ）に示す順で、周辺部が部分拡大されて（斜線部分）、１２８×９６ピクセルで動画が再生表示されている。また、再生中の表示画面の最下行には、「一時停止」を指示するためのファンクションキー１４７（ファンクションキー１４３に対応）が表示されている。
【００９４】
該再生中に、「一時停止」を指示するファンクションキー１４７（ファンクションキー１４３に対応）が押下されたか否かを判断し（ステップＳ９２）、ファンクションキー１４７が押下されるまで、ステップＳ９０の動画像の繰り返し再生を継続する。
【００９５】
一方、動画像の再生中に、ファンクションキー１４７（ファンクションキー１４３に対応）が押下されると、一時停止する（ステップＳ９４）。一時停止中は、図２２に示すように、その時点での静止画像を、Ｓｕｂ−ＱＣＩＦサイズ（１２８×９６ピクセル）にリサイズ（一様拡大）して表示を維持する。なお、図２２に示す例は、前述した図２１（ｃ）に示す表示状態で一時停止した場合の表示例である。その後、ステップＳ８０へ戻り、前述した処理を繰り返す。このように、本実施形態では、メール本文の作成・編集中であっても、容易に動画を再生／一時停止させることができ、しかも一画面でメール本文と動画とを確認することができる。
【００９６】
また、ステップＳ８０で、各項目・編集・表示画面が表示されているとき、動画像が選択されていない状態で、ファンクションキーが操作された場合には、「動画が選択されていません」というメッセージを表示する（ステップＳ９６）。次に、所定時間経過したか否かを判断し（ステップＳ９８）、所定時間経過していなければ、ステップＳ９６へ戻り、メッセージの表示を維持する。
【００９７】
一方、メッセージの表示が所定時間経過した場合には、メッセージを消去する（ステップＳ１００）。その後、ステップＳ８０へ戻り、前述した処理を繰り返す。
【００９８】
そして、ステップＳ８０で、各項目・編集・表示画面が表示されているとき、「決定」の操作が検出されると、図１３に示すステップＳ５６の作成画面の表示へ戻り、前述した処理を繰り返す。
【００９９】
また、作成画面において、「保存・終了」が選択された場合には、まず、未記入項目があるか、あるいは動画ファイルが選択されていないかを判断する（ステップＳ１１０）。そして、未記入項目があるか、あるいは動画ファイルが選択されていない場合には、ユーザに対する確認表示を行ない（ステップＳ１１２）、「ＯＫ」が選択されたか否かを判断する（ステップＳ１１４）。そして、「ＯＫ」が選択されない場合、すなわち未記入項目があるか、動画ファイルが選択されていない場合には、図１３に示すステップＳ５６へ戻り、作成画面の表示へ進む。以降、ユーザは、未記入項目への入力、あるいは動画ファイルを選択するなどしてメールを完成させることになる。
【０１００】
一方、ユーザへの確認表示において、「ＯＫ」が選択された場合には、未記入項目があってもよい、あるいは動画ファイルが選択されていなくてもよい、ということであるので、当該メールを送信ボックスに格納し（ステップＳ１１６）、ステップＳ４０のメールメニューの表示へ戻り、前述した処理を繰り返す。また、未記入項目がないか、あるいは動画が選択されている場合には、当該メールを送信ボックスに格納し（ステップＳ１１６）、ステップＳ４０のメールメニューの表示へ戻り、前述した処理を繰り返す。送信ボックスに格納された動画付きメールは、所定のタイミングで送信される。
【０１０１】
（３）受信メール確認
次に、本実施形態による受信メール確認時の動作について説明する。ここで、本実施形態では、携帯電話１ａにて上記の如く作成された動画付きメールを、携帯電話１ｂにて着信する場合について述べるが、動画付きメールの着信処理に関しては、既知のメールの着信処理と変わるところがないので省略する。図２３は、メールの受信メール確認時の動作を説明するためのフローチャートである。なお、当該受信メール確認処理は、前述したメール作成時のフローチャートのステップＳ４４において、受信ボックスが選択された場合に実行される。
【０１０２】
受信ボックスが選択されると、まず、受信ボックスに格納されている受信メールのリストを表示する（ステップＳ１３０）。次に、動画付きメールが選択されたか否かを判断し（ステップＳ１３２）、通常のメールが選択された場合には、通常のメール処理へ進む（ステップＳ１３４）。
【０１０３】
一方、動画付きメールが選択されると、動画付きメールプログラムおよび画像処理プログラムをロードし（ステップＳ１３６）、メール本文を表示するとともに、前述した処理により、動画の周辺部分を拡大し、１２８×９６ピクセルで動画再生を行なう（ステップＳ１３８）。ここで、図２４（ａ）〜（ｃ）および図２５（ａ）、（ｂ）は、受信した動画付きメールの動画を再生中の表示画面の一例を示す模式図である。表示領域１３５には、図２４（ａ）、（ｂ）、（ｃ）、図２５（ａ）、（ｂ）という順で、部分拡大された動画が１２８×９６ピクセルで再生表示される。また、再生中の表示画面の最下行には、動画の「一時停止」を指示するためのファンクションキー１４７（ファンクションキー１４３に対応）が表示されている。
【０１０４】
受信メールの表示中においては、キャンセルが検出されたか否かを判断し（ステップＳ１４０）、キャンセルが検出されると、ステップＳ１３０の受信リスト表示へ戻り、前述した処理を繰り返す。一方、キャンセルが検出されなければ、動画再生を一時停止するためのファンクションキー１４７（ファンクションキー１４３に相当）が操作されたか否かを判断する（ステップＳ１４２）。そして、一時停止のためのファンクションキー１４７が操作されなければ、ステップＳ１３８へ戻り、メール本文の表示と動画再生とを継続する。
【０１０５】
一方、一時停止するためのファンクションキー１４７（ファンクションキー１４３に相当）が操作さると、その時点で再生中の動画について、図２６に示すように、一様拡大された１２８×９６ピクセル（Ｓｕｂ−ＱＣＩＦサイズ）にリサイズした静止画を表示する（ステップＳ１４４）。次に、再生するためのファンクションキー１４６（ファンクションキー１４３に相当）が操作されたか否かを判断し（ステップＳ１４６）、再生が指示されなければ、ステップＳ１４４へ戻り、一時停止状態を継続する。一方、再生するためのファンクションキー１４６が操作されると、ステップＳ１３８へ戻り、メール本文を表示するとともに、その時点での静止画像から、１２８×９６ピクセルに部分拡大された動画にリサイズして再生表示し、前述した処理を繰り返す。
【０１０６】
なお、上述した実施形態において、動画ファイルに該動画を部分拡大して再生することを指示するフラグを付加するようにしてもよい。動画付きメールを受信した携帯電話では、動画付きメールに上記フラグが付加されている場合（あるいは拡大再生が指示されている場合）には、動画の周辺部分を所定の拡大方式で拡大し、１２８×９６ピクセルで再生表示する一方、上記フラグが付加されていない場合（あるいは拡大再生が指示されていない場合）には、部分拡大することなく、９６×８０ピクセルで再生表示する。
【０１０７】
また、上述した実施形態において、動画を再生する際に、部分拡大を指示する機能を、キーのいずれかに付与するようにしてもよい。この場合、フラグの有無に関係なく、上記キーが押下されると、動画の周辺部分を所定の拡大方式で拡大し、１２８×９６ピクセルで再生表示するようにする。あるいは、上記キーが押下される度に、図６（ａ）に示す拡大方式、図６（ｂ）に示す拡大方式、図６（ｃ）に示す拡大方式と巡回させるようにしてもよい。
【０１０８】
また、動画ファイルのヘッダーに著作権フラグを付け、動画ファイルの転送に制限を設けるようにしてもよい。
【０１０９】
また、上述した実施形態においては、カメラ（撮像機能）付き携帯電話について詳細を述べたが、これに限定されること無く、動画を表示できる通信装置であれば適用可能である。
【図面の簡単な説明】
【０１１０】
【図１】本発明の実施形態によるメール送受信システムの構成を示すブロック図である。
【図２】携帯電話１ａ，１ｂの外観図（開状態：正面図および背面図）である。
【図３】携帯電話１ａ，１ｂの構成を示すブロック図である。
【図４】携帯電話１ａ，１ｂのＲＯＭ２４のメモリエリアの構成を示す概念図である。
【図５】本実施形態による動画拡大方式を説明するための概念図である。
【図６】本実施形態による動画拡大方式例を説明するための概念図である。
【図７】本実施形態による動画拡大の方式の一例を説明するための概念図である。
【図８】本実施形態による動画拡大の方式の一例を説明するための概念図である。
【図９】携帯電話１ａ，１ｂのＲＡＭ２９のメモリエリアの構成を示す概念図である。
【図１０】本実施形態による撮像モード時の動作を説明するためのフローチャートである。
【図１１】本実施形態による撮像モード時の動作を説明するためのフローチャートである。
【図１２】撮影モードにおいて被写体を撮像する様子を示す模式図である。
【図１３】本実施形態による携帯電話のメール作成時の動作を説明するためのフローチャートである。
【図１４】本実施形態による携帯電話のメール作成時の動作を説明するためのフローチャートである。
【図１５】本実施形態による携帯電話のメール作成時の動作を説明するためのフローチャートである。
【図１６】本実施形態による携帯電話のメール作成時の動作を説明するためのフローチャートである。
【図１７】本実施形態による動画を拡大再生する際の動作を説明するためのフローチャートである。
【図１８】「メール作成・編集」が選択されたときの表示画面を示す模式図である。
【図１９】再生中の動画を一時停止したときの表示画面を示す模式図である。
【図２０】動画再生中の表示画面を示す模式図である。
【図２１】上記撮影モードにて図１０に示されるような撮像方向で撮像されたオブジェクトの動画ファイルを、メール作成モードにて再生表示する場合の、表示画面の一例を示す模式図である。
【図２２】再生中の動画を一時停止したときの表示画面を示す模式図である。
【図２３】本実施形態による携帯電話の受信メール確認時の動作を説明するためのフローチャートである。
【図２４】受信した動画付きメールの動画を再生中の表示画面の一例を示す模式図である。
【図２５】受信した動画付きメールの動画を再生中の表示画面の一例を示す模式図である。
【図２６】受信した動画付きメールの動画を一時停止中の表示画面の一例を示す模式図である。
【符号の説明】
【０１１１】
１ａ，１ｂ  携帯電話（データ送信装置、データ受信装置）
２  無線基地局
３  通信サービス事業者
３２  Ｗｅｂサーバ
３３  メールサーバ
３４  交換機
３５  ルータ
４  公衆回線網
５  ＷＷＷ
６  インターネットプロバイダ
６２  Ｗｅｂサーバ
６３  メールサーバ
６５  ルータ
７  パーソナルコンピュータ
１１  アンテナ
１２  スピーカ
１３  表示部（表示手段）
１３１  Ｓｕｂｊｅｃｔ領域
１３２  Ｆｒｏｍ領域
１３３  日付表示領域
１３４  表示領域
１３５  表示領域
１３６  再生時間ゲージ
１３７  メール本文表示領域
１３８  ファンクションキー
１３９  ファンクションキー
１４０  ファンクションキー
１４  キー入力部
１４１  メールキー
１４２  アドレスキー
１４３  ファンクションキー
１４４  テンキー
１４５  シャッターキー
１５  マイク
１６  サブ表示部
１７  背面キー
１７１  ＬＥＤ
１８  撮像レンズ（撮影手段）
１９  報知スピーカ
２０  無線送受信部（送信手段、受信手段）
２１  無線信号処理部
２２  制御部（制御手段、表示制御手段、再生制御手段、第１の表示制御手段、第２の表示制御手段）
２３  画像メモリ
２４  Ｆｌａｓｈ  ＲＯＭ
２５，２６  ドライバ
２７  加入者情報記憶部
２８  システムＲＯＭ
２９  ＲＡＭ（記憶手段、動画記憶手段）
１８１  撮像モジュール（撮影手段）
１８２  ＤＳＰ
１９２  ドライバ
２００  音声信号処理部
【図１】
2006074782.tif 000003
【図２】
2006074782.tif 000004
【図３】
2006074782.tif 000005
【図４】
2006074782.tif 000006
【図５】
2006074782.tif 000007
【図６】
2006074782.tif 000008
【図７】
2006074782.tif 000009
【図８】
2006074782.tif 000010
【図９】
2006074782.tif 000011
【図１０】
2006074782.tif 000012
【図１１】
2006074782.tif 000013
【図１２】
2006074782.tif 000014
【図１３】
2006074782.tif 000015
【図１４】
2006074782.tif 000016
【図１５】
2006074782.tif 000017
【図１６】
2006074782.tif 000018
【図１７】
2006074782.tif 000019
【図１８】
2006074782.tif 000020
【図１９】
2006074782.tif 000021
【図２０】
2006074782.tif 000022
【図２１】
2006074782.tif 000023
【図２２】
2006074782.tif 000024
【図２３】
2006074782.tif 000025
【図２４】
2006074782.tif 000026
【図２５】
2006074782.tif 000027
【図２６】
2006074782.tif 000028
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
カメラ付き携帯電話機であって、
メール添付で受信された動画を記憶する記憶手段と、
静止画と動画を表示可能な表示手段と、
前記記憶手段に記憶されている受信した動画を読み出して再生する際、該動画の周辺部分を拡大して前記表示手段の静止画表示可能領域サイズで表示させる表示制御手段と
を具備することを特徴とするカメラ付き携帯電話機。
【請求項２】
カメラ付き携帯電話機であって、
シャッターと、
前記シャッターを所定時間以内操作したとき静止画を取り込む静止画撮像手段と、
前記シャッターを所定時間以上操作したとき動画を取り込む動画撮像手段と、
前記取り込まれた静止画または動画を記憶する記憶手段と、
前記記憶手段に記憶された静止画または動画をメール添付で送信するとともに、メール添付の静止画または動画を受信するメール送受信手段と、
前記記憶手段に記憶された静止画を表示する静止画表示手段と、
前記記憶手段に記憶された動画を表示する動画表示手段とを含み、
前記動画表示手段は、前記動画を再生表示する際、該動画の周辺部分を拡大して前記静止画の表示サイズで再生表示させることを特徴とするカメラ付き携帯電話機。
【請求項３】
データ通信装置であって、
静止画及び動画を受信する受信手段と、
静止画及び動画を撮影する撮影手段と、
前記撮影手段により撮影した静止画と動画または前記受信手段で受信した静止画または動画を記憶する記憶手段と、
前記記憶手段に記憶している静止画または動画を表示する表示手段と、
前記記憶手段に記憶している動画を選択し、前記選択された動画の周辺部分を拡大して前記静止画の表示サイズで連続再生する動画再生手段と、
一時停止指示手段と、
前記一時停止手段からの一時停止指示があったとき、前記動画の再生を停止し、その時点の静止画を一様に拡大して前記表示部に表示する表示制御手段と
を含むことを特徴とするデータ通信装置。
【手続補正３】
【補正対象書類名】明細書
【補正対象項目名】０００５
【補正方法】変更
【補正の内容】
【０００５】
そこで本発明は、動画再生において、画像劣化による視認性の低下を招くことなく、表示エリアを有効活用し、見た目をよくすることができるカメラ付き携帯電話機およびデータ通信装置を提供することを目的とする。
【手続補正４】
【補正対象書類名】明細書
【補正対象項目名】０００６
【補正方法】変更
【補正の内容】
【０００６】
上記目的達成のため、請求項１記載の発明によるカメラ付き携帯電話機は、カメラ付き携帯電話機であって、メール添付で受信された動画を記憶する記憶手段と、静止画と動画を表示可能な表示手段と、前記記憶手段に記憶されている受信した動画を読み出して再生する際、該動画の周辺部分を拡大して前記表示手段の静止画表示可能領域サイズで表示させる表示制御手段とを具備することを特徴とする。
【手続補正５】
【補正対象書類名】明細書
【補正対象項目名】０００７
【補正方法】変更
【補正の内容】
【０００７】
また、上記目的達成のため、請求項２記載の発明によるカメラ付き携帯電話機は、カメラ付き携帯電話機であって、シャッターと、前記シャッターを所定時間以内操作したとき静止画を取り込む静止画撮像手段と、前記シャッターを所定時間以上操作したとき動画を取り込む動画撮像手段と、前記取り込まれた静止画または動画を記憶する記憶手段と、前記記憶手段に記憶された静止画または動画をメール添付で送信するとともに、メール添付の静止画または動画を受信するメール送受信手段と、前記記憶手段に記憶された静止画を表示する静止画表示手段と、前記記憶手段に記憶された動画を表示する動画表示手段とを含み、前記動画表示手段は、前記動画を再生表示する際、該動画の周辺部分を拡大して前記静止画の表示サイズで再生表示させることを特徴とする。
【手続補正６】
【補正対象書類名】明細書
【補正対象項目名】０００８
【補正方法】変更
【補正の内容】
【０００８】
また、上記目的達成のため、請求項３記載の発明によるデータ通信装置は、データ通信装置であって、静止画及び動画を受信する受信手段と、静止画及び動画を撮影する撮影手段と、前記撮影手段により撮影した静止画と動画または前記受信手段で受信した静止画または動画を記憶する記憶手段と、前記記憶手段に記憶している静止画または動画を表示する表示手段と、前記記憶手段に記憶している動画を選択し、前記選択された動画の周辺部分を拡大して前記静止画の表示サイズで連続再生する動画再生手段と、一時停止指示手段と、前記一時停止手段からの一時停止指示があったとき、前記動画の再生を停止し、その時点の静止画を一様に拡大して前記表示部に表示する表示制御手段とを含むことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】変更
【補正の内容】
【００２９】
請求項１の発明によれば、メール添付で受信された動画を記憶手段に記憶し、表示制御手段により、記憶されている受信した動画を読み出して再生する際、該動画の周辺部分を拡大して表示手段の静止画表示可能領域サイズで表示させるようにしたので、動画再生において、画像劣化による視認性の低下を招くことなく、表示エリアを有効活用し、見た目をよくすることができるという利点が得られる。
【手続補正２７】
【補正対象書類名】明細書
【補正対象項目名】００３０
【補正方法】変更
【補正の内容】
【００３０】
また、請求項２記載の発明によれば、静止画撮像手段により、シャッターを所定時間以内操作したとき静止画を取り込み、動画撮像手段により、シャッターを所定時間以上操作したとき動画を取り込み、取り込まれた静止画または動画を記憶手段に記憶し、メール送受信手段により、記憶手段に記憶された静止画または動画をメール添付で送信するとともに、メール添付の静止画または動画を受信し、記憶手段に記憶された静止画を静止画表示手段により表示し、動画表示手段により、前記動画を再生表示する際、該動画の周辺部分を拡大して静止画の表示サイズで再生表示させるようにしたので、メールに添付された動画再生において、画像劣化による視認性の低下を招くことなく、表示エリアを有効活用し、見た目をよくすることができるという利点が得られる。
【手続補正２８】
【補正対象書類名】明細書
【補正対象項目名】００３１
【補正方法】変更
【補正の内容】
【００３１】
また、請求項３記載の発明によれば、撮影手段により撮影した静止画と動画、または受信手段で受信した静止画または動画を記憶手段に記憶し、記憶手段に記憶している静止画または動画を表示手段に表示するとともに、動画再生手段により、記憶手段に記憶している動画を選択し、選択された動画の周辺部分を拡大して静止画の表示サイズで連続再生し、一時停止手段からの一時停止指示があると、表示制御手段により、動画の再生を停止し、その時点の静止画を一様に拡大して表示部に表示するようにしたので、容易に動画を再生／一時停止させることができ、しかも一画面でメール本文と動画とを確認することができる。
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】